(57)【特許請求の範囲】
【請求項１】
互いに連結された複数の枠部材により植栽基盤を囲繞する枠体構造であって、前記枠部材は上壁と側壁と下壁とを有し、前記上下壁が略同一幅の断面コ字状とされ、防水シート、保水層及び植栽層からなる植栽基盤に向かって開き、この枠部材の内部に植栽基盤の外縁部を収容すると共に、前記枠部材の側壁に多孔質部材を配設し、枠部材の下壁に前記側壁まで貫通するスリット状の排水部を設けたことを特徴とする植栽基盤の枠体構造。
【請求項２】
前記枠部材の上壁の下面と前記植栽層の上面との間に隙を形成するべく、前記上壁の下面を、前記側壁側から植栽基盤側に向かうにつれて当該上壁の厚さを減少させるように傾斜させたことを特徴とする請求項１に記載の植栽基盤の枠体構造。
【発明の詳細な説明】
【０００１】
【発明の属する技術分野】
この発明は、薄層植栽基盤の枠体構造に関するものである。
【０００２】
【従来の技術】
従来から、例えば屋上緑化を目的として、屋上の人工地盤（アスファルト、コンクリート、舗装面等）上に植栽を行う場合がある。
植栽の基盤は、例えば土壌や吸水スポンジ等からなり、この基盤上に芝草等が植え込まれている。そして、植栽基盤は枠体で囲繞されている。
この枠体は、通常レンガ、ブロック、木材等の長方形状の部材を連続して配設することで形成されているが、近年ではこれらの部材を模し、且つ連結可能に構成された枠部材を用いることで枠体を容易に形成する技術も提案されている（特開平７−２５５２７７号公報参照）。
【０００３】
【発明が解決しようとする課題】
ところで上記のような植栽基盤を、特に屋上緑化に用いる場合には、重量軽減が要求されるため薄層にせざるを得ず、従って植栽基盤内に必要十分な水分を保有しておくことができないという問題がある。その上、既存の枠体では、その内壁面と植栽基盤との境界部分からの水分蒸発量が多く、枠体近傍の植栽基盤が乾燥してその周辺の植栽が枯損するという問題がある。
また植栽基盤として土壌を用いた場合、例えば植栽基盤の透水能力を超える降雨があった時には土壌が雨水と共に流出し、周辺の排水孔等を詰まらせてしまうという問題がある。
また、植栽基盤の端部から芝草等の根茎が枠部材を越えて繁茂するという問題がある。
そこでこの発明は、植栽基盤の保水性及び排水性を高めて植栽の生育に適した湿潤状態を保つと共に植栽基盤のメンテナンス工数を軽減できる植栽基盤の枠体構造を提供するものである。
【０００４】
【課題を解決するための手段】
上記課題を解決するために、請求項１に記載した発明は、互いに連結された複数の枠部材により植栽基盤を囲繞する枠体構造であって、前記枠部材は上壁と側壁と下壁とを有し、前記上下壁が略同一幅の断面コ字状とされ、防水シート、保水層及び植栽層からなる植栽基盤に向かって開き、この枠部材の内部に植栽基盤の外縁部を収容すると共に、前記枠部材の側壁に多孔質部材を配設し、枠部材の下壁に前記側壁まで貫通するスリット状の排水部を設けたことを特徴とする。
このように構成することで、枠部材の内壁面と植栽基盤の外縁部との境界部分を枠部材の上壁で覆って日当たりや風当たりを無くすことができ、水分が蒸発し易い植栽基盤の外縁部の乾燥を防止することが可能となる。
また、図９に示すように、植栽基盤の上部を這う根茎（ライゾーム）を枠部材の内部に収容された植栽層内に留めることができる。
さらに、植栽基盤の上面の余剰水を、枠部材の上壁との隙から多孔質部材を介して排水部に導水することが可能となる。
【０００５】
請求項２に記載した発明は、前記枠部材の上壁の下面と前記植栽層の上面との間に隙を形成するべく、前記上壁の下面を、前記側壁側から植栽基盤側に向かうにつれて当該上壁の厚さを減少させるように傾斜させたことを特徴とする。
このように構成することで、植栽基盤の表面を這う根茎（ストロン）を、図８に示すように、枠部材の上壁と植栽基盤の上面との隙に誘導することが可能となる。
【００１０】
なお、前記植栽基盤には、ノシバ、コウライシバ、ビロードシバ、バミューダグラス、センチペドグラス、バファローグラス、ウィーピングラブグラス、バヒアグラス、キクユグラス、ケンタッキーブルーグラス、レッドトップ、クリーピングベントグラス、トールフェスク、レッドフェスクからなる群より選ばれる少なくとも１種の芝草が植え込まれていることが望ましい。
このように構成することで、匍匐性や耐乾性を考慮することなく、様々な種類の芝草を選択することが可能となる。
【００１１】
また、前記植栽基盤には、ノシバ、コウライシバ、ビロードシバ、バミューダグラス、センチペドグラス、バファローグラス、バヒアグラス、キクユグラス、ケンタッキーブルーグラス、レッドトップ、クリーピングベントグラス、レッドフェスクからなる群より選ばれる少なくとも１種の匍匐性を有する芝草が植え込まれていることが望ましい。
このように構成することで、特に根茎の繁茂によるメンテナンスの手間を考慮することなく、様々な種類の芝草を選択することが可能となる。
【００１２】
【発明の実施の形態】
以下、この発明の実施形態を図面と共に説明する。
図１に示すように、屋上等の人工の地盤Ｇ上には、ビニル等からなる防水シート２１が敷設され、その上に例えば土壌が搬入されて後述する植栽層１Ａ及び保水層２１Ａを成し、これら防水シート２１、植栽層１Ａ及び保水層２１Ａにより植栽基盤１が形成されている。この植栽基盤１は植物を生育させて屋上等の緑化をするもので、枠体３で囲繞されて周囲と区画されると共に土留めが施されている。
【００１３】
植栽基盤１を囲繞する枠体３は、複数の枠部材４及び枠体３のコーナー部分に設けられる連結部材１５を各々連結することによって形成されている。そして、図２に示すように、枠部材４の両端が隣接する枠部材４又は連結部材１５とボルト３０及びナット３１により連結されている。また、枠部材４を植栽基盤１を設置する地盤Ｇに立設されたスタッドボルト３２に嵌合させ、ナット３３を締め付けることで、枠体３が地盤Ｇ上の所定位置に固定されている。
【００１４】
植栽基盤１は３０〜１５０ｍｍ程度の厚さに形成され、その植栽層１Ａには、例えば芝草が植栽２として植え込まれている。また枠部材４は、上壁５と側壁６と下壁７とにより断面コの字状に形成され、植栽基盤１に向かって開いた断面形状となっている。そして、植設基盤１の外縁部１ｂが枠部材４の内部Ｋに収まっている。
また、枠部材４の内部Ｋには、側壁６に当接するように後述する多孔質部材２０が配設されている。
【００１５】
図３、図４に示すように、枠部材４は例えばグラスファイバー入りコンクリートにより５００ｍｍ程度の定尺に形成され、植栽基盤１の外縁部１ｂに沿うように断面同一に延設されるものである。また、延設方向（図中矢印Ｃ方向）の両端部には各々前壁８及び後壁９が設けられ、上壁５、側壁６及び下壁７とあわせて側方に開口１１を有する箱型に形成されている。
尚、この実施形態では、枠部材４の断面の幅を１００ｍｍ、高さを９０ｍｍとし、各壁の肉厚を１０〜１５ｍｍとした。
【００１６】
枠部材４の前壁８及び後壁９の各外面８ａ，９ａは延設方向に垂直、つまり鉛直方向に平行な平面に形成され、また、これら前壁８及び後壁９の幅方向（図中矢印Ｅ方向）の中央部には、隣接する枠部材４又は連結部材１５と連結するためのボルト孔１２が各々設けられている。
枠部材４の下壁７には、該下壁７を延設方向で２分するようにスリット状の排水部１４が設けられており、側壁６まで貫通するように形成されている。
下壁７の前壁８側の部位及び後壁９側の部位には、枠体３を地盤Ｇに固定するための固定孔１３が各々設けられている。
【００１７】
ここで、枠部材４の内部Ｋには、前記開口１１より多孔質部材２０が配設可能となっている。この多孔質部材２０は、少なくとも５ｍｍから５０ｍｍ程度の厚さを有する例えばポーラスコンクリートからなり、側壁６の内面６ａに当接すると共に、下壁７の上面７ａ及び上壁５の下面５ａに渡って形成されている。また、開口１１から枠部材４の内部Ｋに収容される植栽基盤１の上面１ａと、枠部材４の上壁５の下面５ａとの間には後述する隙Ｓが設定可能となっている。
【００１８】
また、下壁７の上面７ａは、側壁６側から植栽基盤１側に向かうにつれて下壁７の厚さを減少させるように傾斜して形成されている。つまり、下壁７の上面７ａは、植栽基盤１側が下がるように傾斜している。また、上壁５の下面５ａも下壁７の下面７ａと同様、側壁６側から植栽基盤１側に向かうにつれて厚さを減少するように傾斜して形成されている。
また、枠部材４の上壁５及び側壁６には、その外面５ｂ，６ｂに例えば木目地等のテクスチャーが形成されている。尚、枠部材４の材料には、各テクスチャーが木目地であれば茶系色というように着色がなされている。
【００１９】
図５、図６に示すように、連結部材１５は、枠部材４と同様に例えばグラスファイバー入りコンクリートにより形成され、上壁１８及び四方の側壁１６Ａ，１６Ｂ，１７，１７を有して下方に開口する方形の升型に形成されている。
側壁１６Ａ，１６Ｂは互いに隣接しており、これら側壁１６Ａ，１６Ｂの外面１６ａ，１６ｂは、鉛直方向に平行な平面に形成されると共に互いに直交している。
そして、これら各側壁１６Ａ，１６Ｂは、枠部材４の前壁８及び後壁９と同一形状に形成されている。また、各側壁１６Ａ，１６Ｂには、前壁８及び後壁９に各々設けられたボルト孔１２に対応する連結孔１９が、側壁１６Ａにおいてはその幅方向（図中矢印Ｆ方向）の中央部に、側壁１６Ｂにおいてはその幅方向（図中矢印Ｈ方向）の中央部に各々設けられている。
【００２０】
また、他の側壁１７，１７の外面１７ａ，１７ａ及び上壁１８の外面１８ａには、枠部材４の上壁５の外面５ｂ及び側壁６の外面６ｂに対応するテクスチャーが形成されており、このテクスチャーにあわせるように連結部材１５の材料に着色がなされている。
尚、各側壁１６Ａ，１６Ｂ，１７，１７の内面は、下方に向かうにつれて各側壁の厚さを減少させるように傾斜して形成されている。
【００２１】
次に、この発明の作用について説明する。
先ず、植栽２を設置する地盤Ｇ上に枠部材４及び連結部材１５を配設して枠体３を形成する。
枠部材４を直線的に連結する場合には、枠部材４の前壁８及び後壁９を当接させ、一方の枠部材４の内側からボルト孔１２にボルト３０を挿通し、他方の枠部材４の内側からナット３１を締め付けることによって、各枠部材４同士を連結することができる。
【００２２】
また、２つの枠部材４，４を直角に連結する場合には、一方の枠部材４の前壁８又は後壁９の何れかを連結部材１５の例えば側壁１６Ａに当接させ、他方の枠部材４の前壁８又は後壁９の何れかを連結部材１５の例えば側壁１６Ｂに当接させ、各枠部材４又は連結部材１５の一方からボルト孔１２又は連結孔１９にボルト３０を挿通し、他方からナット３１を締め付けることによって、連結部材１５を介して各枠部材４，４を直角に連結することができる。
この時、枠部材４のボルト孔１２は前壁８及び後壁９の幅方向の中央部に設けられ、連結部材１５の連結孔１９は側壁１６Ａ，１６Ｂの幅方向に中央部に設けられているため、図１に示すように、枠体３の外側に凸の直角部分及び内側に凸の直角部分の何れを形成することも可能となっている。尚、側壁１６Ａの外面１６ａと側壁１６Ｂの外面１６ｂとを直交させず、任意の角度とした連結部材１５を設定することで、枠体３の形状自由度を高めることも可能である。
【００２３】
そして、植栽基盤１を設置する地盤Ｇ上に立設されたスタッドボルト３２を各枠部材４の下壁７に設けられた固定孔１３に挿通し、枠部材４の内側からナット３３を締め付けることによって、枠体３を地盤Ｇ上の所定位置に固定することができる。
この時、地盤Ｇ上に植栽基盤１のベースとなる部材を配置し、そのベース部材にスタッドボルト３２を立設するようにしても良い。この場合、屋上等の地盤にボルトを埋め込んだり接着する必要がなく、施工が容易で且つ枠体３の形状や位置の変更も容易にできる。
【００２４】
次いで、図７に示すように、枠部材４の内部Ｋに多孔質部材２０を配設すると共に、枠体３で囲まれた地盤Ｇ上に防水シート２１を敷設する。
防水シート２１は枠部材４の下壁７に乗り上げるように敷設され、且つ多孔質部材２０の手前位置まで掛け渡されている。ここで、下壁７の排水部１４の一部にも防水シート２１が掛け渡されている。
そして、枠体３で囲まれた範囲に植栽層１Ａ及び保水層２１Ａとなる土壌を搬入して植栽基盤１を形成する。この時、土壌が枠部材４の内部Ｋまで入り込み、植栽基盤１の外縁部１ｂが多孔質部材２０の壁面２０ａに接するように収容される。つまり、植栽基盤１の外縁部１ｂが枠部材４内に収容される。
【００２５】
ここで、この枠体３の構造においては、植栽基盤１の外縁から少なくとも３０ｍｍ以上の範囲が枠部材４内に収容できるように設定されている。また、植栽基盤１の上面１ａと枠部材４の上壁５の下面５ａとの間には、多孔質部材２０まで通じる少なくとも３ｍｍから３０ｍｍ程度の隙Ｓを設けておく。この時、上壁５の下面５ａは植栽基盤１側の厚さが減少するように形成されているため、隙Ｓを設け易くなっている。
このように形成された植栽基盤１上に所望の植栽２を植え込んで、屋上緑化等を図ることが可能となる。
【００２６】
ここで、植栽２としては、ノシバ（Ｚｏｙｓｉａ属Ｚ．ｊａｐｏｎｉｃａ種）、コウライシバ（Ｚｏｙｓｉａ属Ｚ．ｍａｔｒｅｌｌａ種）、ビロードシバ（Ｚｏｙｓｉａ属Ｚ．ｔｅｎｕｉｆｏｌｉａ種）、バミューダグラス（Ｃｙｎｏｋｏｎ属Ｃ．ｄａｎｃｔｙｌｏｎ種）、センチペドグラス（Ｅｒｅｍｏｃｈｌｏａ属Ｅ．ｏｐｈｉｕｒｏｉｄｅｓ種）、バファローグラス（Ｂｕｃｈｌｏｅ属Ｂ．ｄａｃｔｙｌｏｉｄｅｓ種）、ウィーピングラブグラス（Ｅｒａｇｒｏｓｔｉｓ属Ｅ．ｃｕｒｖｕｌａ種）、バヒアグラス（Ｐａｓｐａｌｕｍ属Ｐ．ｎｏｔａｔｕｍ種）、キクユグラス（Ｐｅｎｎｉｓｓｅｔｕｍ属Ｐ．ｃｌａｎｄｅｓｔｉｎｕｍ種）、ケンタッキーブルーグラス（Ｐｏａ属Ｐ．ｐｒａｔｅｎｓｉｓ種）、レッドトップ（Ａｇｒｏｓｉｔｉｓ属Ａ．ａｌｂａ種）、クリーピングベントグラス（Ａｇｒｏｓｉｔｉｓ属Ａ．ｐａｌｕｓｔｒｉｓ種）、トールフェスク（Ｆｅｓｔｕｃａ属Ｆ．ａｒｕｎｄｉｎａｃｅａ種）、レッドフェスク（Ｆｅｓｔｕｃａ属Ｆ．ｒｕｂｒａ種）等、地表の匍匐性が高い種類或いは耐乾性が低い種類の芝草を用いることができる。
【００２７】
この時、植栽基盤１と多孔質部材２０の壁面２０ａとの境界部分は、枠部材４の上壁５により上方から覆われることとなる。従って、特に水分の蒸発し易い上記境界部分への日当たりや風当たりを防ぐことができ、植栽基盤１の外縁部１ｂ近傍の植栽２の枯損を防止することができる。
また、枠部材４の内部Ｋまで植栽基盤１を配設することができ、植栽基盤１の保水量を増加させることができる。特に、乾燥し易い植栽基盤１の外縁部１ｂ付近においての保水量を増加させることができるため、外縁部１ｂ近傍の植栽２の枯損をより防止することができる。
また、植栽基盤１における植栽有効面積を狭めることなく植栽基盤１の外縁部１ｂを覆うことができるため、地盤Ｇを有効利用して緑化を施すことができる。
【００２８】
ここで、植栽基盤１に水を供給した場合、水は土壌に浸透し、その底部まで滴下していく。底部まで滴下した水は、通常は余剰水となって排水部１４から外部に排出されるが、この植栽基盤１においては、地盤Ｇに敷設された防水シート２１が枠部材４の下壁７に掛け渡されると共に排水部１４の一部を覆っているため、防水シート２１上に滴下した水を枠部材４の下壁７の厚み分だけ土壌の底部に蓄えることができる。つまり、土壌の底部が植栽基盤１における保水層２１Ａとなる。
この保水層２１Ａには、下壁７上面７ａが植栽基盤１側に下がるように傾斜しているため、下壁７上に滴下した水も無駄なく回収して蓄えることができる。
【００２９】
また、植栽基盤１に過剰な水が供給された場合には、保水層２１Ａから水があふれて、図中矢印Ｊで示すように、下壁７を乗り越え、余剰水となって排水部１４より外部に排出される。
このように、植栽基盤１の保水層２１Ａに適量の水を蓄えることによって、植栽基盤１の湿潤状態を植栽の生育に適した状態に保つことができる。
特に、上述したように耐乾性の低い芝草を用いた場合、この効果による芝草の生育への影響が顕著に現れる。
尚、保水層２１Ａとして、植栽層１Ａと防水シート２１との間に、例えば保水用のフェルトや通水用の凹凸状シートを配設する構成としても良い。
【００３０】
更に、多量の降雨等により植栽基盤１の透水能力（時間あたりの水の下降距離で表す）を超える水が供給されるような場合、植栽基盤１の上面１ａに余剰水があふれてくるが、この植栽基盤１においては、上面１ａにあふれた余剰水が枠体３を乗り越える前に枠部材４の上壁５の下面５ａと植栽基盤１の上面１ａとの間の隙Ｓに収容される。
収容された余剰水は、図中矢印Ｌで示すように、多孔質部材２０内を速やかに滴下して枠部材４の下壁７に設けられた排水部１４から外部へ排出される。この時、多孔質部材２０がフィルタとなり、土壌をせき止めて余剰水のみを外部に排出することができる。従って、過剰な水の供給があった場合でも余剰水と共に土壌が外部に流出することを防止できる。
【００３１】
また、植栽２の根茎２ａが植栽基盤１の上部を這うように生育し、枠体３に近づいたとしても、根茎２ａを枠部材４の内部Ｋに収容された植栽層１Ａ内に留めることができ（図９参照）、その生育を抑えることができる。従って植栽２の根茎が枠体３を乗り越えて無用に広がることを防止でき、少ない手間で植栽２の美観を保つことができる。
また、植栽２の根茎２ａが植栽基盤１の表面を這うように生育し、枠体３に近づいたとしても、根茎２ａが枠部材４を乗り越える前に枠部材４の上壁５の下面５ａと植栽基盤１の上面１ａとの隙Ｓに誘導することができる（図８参照）。隙Ｓ内に誘導された根茎２ａは枠部材４により押さえられると共に日光を遮断され、その生育が抑えられる。従って、上記同様、少ない手間で植栽２の美観を保つことができる。
特に、上述したように匍匐性の高い芝草を用いた場合、この効果により植栽基盤１のメンテナンス工数が大幅に軽減できる。
【００３２】
尚、上記実施の形態において示した各構成部材の諸形状や材質、また実施手順等は一例であって、本発明の趣旨から逸脱しない範囲において種々変更可能である。例えば、枠部材はコンクリートではなく、樹脂や木材で形成するようにしても良い。また、多孔質部材はスポンジ等を用いても良い。
また、枠部材４の上壁５を別部材として設け、植栽基盤１を形成後に上壁５を枠体３に組み付ける構成としても良い。この場合、枠部材４の内部Ｋまで土壌を搬入し易く、植栽基盤１の施工作業が容易になる。
【００３３】
【発明の効果】
以上説明してきたように、請求項１に記載した発明によれば、植栽基盤の外縁部の乾燥を防ぐことが可能となるため、植栽基盤の保水効果が高まると共に、枠体近傍の植栽が水分不足により枯損することを防止できる効果がある。
また、植栽基盤の上部を這う根茎を枠部材の内部に収容された植栽層内に留めることができるため、防根効果が高まると共に少ないメンテナンス工数で植栽の美観を保つことができる効果がある。
さらに、植栽基盤の上面の余剰水を、枠部材の上壁との隙から多孔質部材を介して排水部に導水することが可能となるため、植栽基盤が土壌である場合、土壌内の水分を一定にしつつ、土壌を含んだ余剰水が枠部材を乗り越えて外部に流出することを防止できる効果がある。
【００３４】
請求項２に記載した発明によれば、植栽基盤の上面を這う根茎を枠部材の上壁と植栽基盤の上面との隙に誘導することが可能となるため、根茎の生育を上記隙内で抑えることができ防根効果が高まると共に、少ないメンテナンス工数で植栽の美観を保つことができる効果がある。
【００３９】
なお、この発明によれば、匍匐性や耐乾性を考慮することなく、様々な種類の芝草を選択することが可能となるため、請求項１，２に記載の防根効果及び保水効果が顕著に現れると共に、都市緑化における植栽の自由度が高まる効果がある。
【００４０】
また、この発明によれば、特に根茎の繁茂によるメンテナンスの手間を考慮することなく、様々な種類の芝草を選択することが可能となるため、請求項１，２に記載の防根効果がより一層顕著に現れると共に、都市緑化における植栽の自由度が高まる効果がある。
【図面の簡単な説明】
【図１】  この発明の実施形態の斜視説明部である。
【図２】  図１のＡ線に沿う断面図である。
【図３】  この発明の実施形態における枠部材の斜視図である。
【図４】  図３のＤ線に沿う断面図である。
【図５】  この発明の実施形態における連結部材の斜視図である。
【図６】  図５の下面図である。
【図７】  図１のＢ線における断面図である。
【図８】  ストロン種の芝草を植え込んだ場合の説明図である。
【図９】  ライゾーム種の芝草を植え込んだ場合の説明図である。
【符号の説明】
１  植栽基盤
１Ａ  植栽層
１ａ  上面
１ｂ  外縁部
３  枠体
４  枠部材
５  上壁
５ａ  下面
６  側壁
７  下壁
１４  排水部
１５  連結部材
２０  多孔質部材
２１  防水シート
２１Ａ  保水層
Ｓ  隙
Ｋ  内部
【図１】
0004001773.tif 000002
【図２】
0004001773.tif 000003
【図３】
0004001773.tif 000004
【図４】
0004001773.tif 000005
【図５】
0004001773.tif 000006
【図６】
0004001773.tif 000007
【図７】
0004001773.tif 000008
【図８】
0004001773.tif 000009
【図９】
0004001773.tif 000010